(57)【要約】【課題】発光時間を十分に確保でき、且つ安定した発光強度を備えた発光体を提供することにより、釣の便に大いに供することにある。【解決手段】可撓性を有する透光性容器１に溶液３を封入すると共に、破割性を有するアンプル２を内装し、且つ該アンプル２には前記溶液３と反応して発光する粉状体４を収納させて構成しており、前記透光性容器１を折り曲げることにより、該容器１に内装された前記アンプル２を破割せしめて、前記アンプル２内の紛状体４に前記容器１内の前記溶液３を含浸せしめて反応を徐々に進行させ、これにより、従来の２倍以上の発光時間を確保させた。【選択図】図１
2006190513.tif 000002
【特許請求の範囲】
【請求項１】
可撓性を有する透光性容器に溶液が封入されると共に、破割性を有するアンプルが内装され、且つ該アンプルには前記溶液と反応して発光する粉状体が収納されてなること特徴とする釣用化学発光体。
【請求項２】
可撓性を有する透光性容器に溶液が封入されると共に、破割性を有するアンプルが内装され、且つ該アンプルには前記溶液と反応して発光する粒状体が収納されてなること特徴とする釣用化学発光体。
【請求項３】
可撓性を有する透光性容器に溶液が封入されると共に、破割性を有するアンプルが内装され、且つ該アンプルには前記溶液と反応して発光する固形体が収納されてなること特徴とする釣用化学発光体。
【請求項４】
前記粉状体若しくは粒状体又は固形体にシュウ酸エステルが含有され且つ該シュウ酸エステルは５０〜９９．９重量％に設定されてなる請求項１乃至３のいずれかに記載の釣用化学発光体。
【請求項５】
前記粉状体若しくは粒状体又は固形体にサリチル酸ナトリウムが含有されてなる請求項１乃至４のいずれかに記載の釣用化学発光体。
【請求項６】
前記粉状体若しくは粒状体又は固形体にサリチル酸リチウムが含有されてなる請求項１乃至４のいずれかに記載の釣用化学発光体。
【発明の詳細な説明】
【技術分野】
【０００１】
本発明は、魚釣りにおいて、例えば発光機能を利用して集魚効果の向上を図る場合や、浮き等の位置を容易に視認できるようにする場合に使用される釣用化学発光体に関する。
【背景技術】
【０００２】
一般に、魚は光に集まるという性質を有しているが、かかる習性を利用して集魚効果等を高めたい場合には、仕掛けに化学発光体が取り付けられる。また、夜間等の釣りにおいて、浮き等の位置を容易に視認できるようにしたい場合には、浮きの頭部に化学発光体が取り付けられる。このように、化学発光体は釣において幅広い用途に使用されるに至っている。
【０００３】
従来、この種の釣用化学発光体としては、例えば図６に示すようなものが存在する（特許文献１参照）。
【特許文献１】実登録２５０６９８４号公報（第２頁、図１）。
【０００４】
即ち、この従来のものは、可撓性を有する透明の合成樹脂製容器１１に溶液１２が封入されると共に、ガラスアンプル１３が内装されており、且つ該アンプル１３には前記溶液１２と反応して化学発光する溶液１４が封入されている。
【０００５】
そして、実際の使用に際しては、容器１１を略中央で折り曲げるとアンプル１３が破割されて、その溶液１４が溶液１２と混合して化学発光することになり、かかる発光体は取付けホルダー１５を介して道糸に取り付けて使用される。
【発明の開示】
【発明が解決しようとする課題】
【０００６】
しかしながら、上記従来の釣用化学発光体においては、溶液１２と溶液１４との混合により発光を生ぜしめるものであるため、即ち液体同士の反応であるために、アンプル１３の破割後すぐに両液の混合が完了してしまうという特性を有していた。このため、発光の輝度が混合直後は非常に大きくなり、必要以上に明るく発光する一方で、その後短時間に輝度は急激に低下してしまい、この種の発光体に要求される必要且つ十分な発光時間を確保できないという問題点を有していた。その結果、釣りに際しては多数の発光体を用意して臨む必要があった。
【０００７】
これに対して、発光体の発光時間を確保するには、例えば前記各溶液１２，１４の液量を多くすることも考えられるが、これにより容器１１及びアンプル１３自体が大型化してしまい、コストや取扱いに支障が生じるばかりではなく、使用用途も制限されるという新たな問題が生じる。
【０００８】
また、前記溶液１２は上記の如く液体であるために、前記溶液１２に含まれる反応物質の濃度は１４重量％程度で飽和状態となるので、それ以上濃度を高めることができないという難点があり、これが発光強度を不安定なものにすると共に、上述の発光時間を維持できない一因ともなっていた。
【０００９】
さらに、この種の発光体の発光強度は使用温度の影響を受け易く、使用温度が低い場合、発光体が十分な明るさを確保できないという欠点があるが、上記従来のものはかかる点については何ら考慮されておらず、寒冷地等の温度が低い環境下における使用に対しての配慮に欠けるものであった。
【００１０】
本発明は、かかる事情に鑑みてなされたものであり、発光時間を十分に確保でき、且つ安定した発光強度を備えた発光体を提供することにより、釣りの便に大いに供することを目的とする。
【００１１】
請求項１に記載の釣用化学発光体は、可撓性を有する透光性容器に溶液が封入されると共に、破割性を有するアンプルが内装され、且つ該アンプルには前記溶液と反応して発光する粉状体が収納されてなること特徴とする。
【００１２】
請求項１に記載の発明にあっては、可撓性を有する透光性容器を折り曲げると、該容器に内装された破割性を有するアンプルが破割されることになり、これにより該アンプル内の粉状体が前記容器内の溶液と反応して発光を呈することになる。
【００１３】
また、請求項２に記載の釣用化学発光体は、可撓性を有する透光性容器に溶液が封入されると共に、破割性を有するアンプルが内装され、且つ該アンプルには前記溶液と反応して発光する粒状体が収納されてなること特徴とする。
【００１４】
請求項２に記載の発明にあっては、可撓性を有する透光性容器を折り曲げると、該容器に内装された破割性を有するアンプルが破割されることになり、これにより該アンプル内の粒状体が前記容器内の溶液と反応して発光を呈することになる。
【００１５】
請求項３に記載の釣用化学発光体は、可撓性を有する透光性容器に溶液が封入されると共に、破割性を有するアンプルが内装され、且つ該アンプルには前記溶液と反応して発光する固形体が収納されてなること特徴とする。
【００１６】
請求項３に記載の発明にあっては、可撓性を有する透光性容器を折り曲げると、該容器に内装された破割性を有するアンプルが破割されることになり、これにより該アンプル内の固形体が前記容器内の溶液と反応して発光を呈することになる。
【００１７】
請求項４に記載の釣用化学発光体は、請求項１乃至３のいずれかに記載の釣用化学発光体において、前記粉状体若しくは粒状体又は固形体にシュウ酸エステルが含有され且つ該シュウ酸エステルは５０〜９９．９重量％に設定されてなることを特徴とする。
【００１８】
請求項４に記載の発明にあっては、シュウ酸エステルを５０〜９９．９重量％に設定してなるために、即ちシュウ酸エステルの濃度を比較的高濃度に設定しているので、前記溶液との反応が安定した状態で進行することになる。
【００１９】
請求項５に記載の釣用化学発光体は、請求項１乃至４のいずれかに記載の釣用化学発光体において、粉状体若しくは粒状体又は固形体にサリチル酸ナトリウムが含有されてなることを特徴とする。
【００２０】
請求項５に記載の発明にあっては、粉状体若しくは粒状体又は固形体にサリチル酸ナトリウム又はサリチル酸リチウムを含有せしめてなるために、粉状体若しくは粒状体又は固形体は予めアルカリ環境となっており、よって前記溶液との反応がこのアルカリ環境下で進行することとなる。
【００２１】
請求項６に記載の釣用化学発光体は、請求項１乃至４のいずれかに記載の釣用化学発光体において、粉状体若しくは粒状体又は固形体にサリチル酸リチウムが含有されてなることを特徴とする。
【００２２】
請求項６に記載の発明にあっては、粉状体若しくは粒状体又は固形体にサリチル酸リチウムを含有せしめてなるために、請求項５に記載の発明と同様、粉状体若しくは粒状体又は固形体は予めアルカリ環境となっており、よって前記溶液との反応がこのアルカリ環境下で進行することとなるのである。
【００２３】
上記各請求項に記載の釣用化学発光体における容器内の溶液とアンプル内の粉状体若しくは粒状体又は固形体とは、該粉状体若しくは粒状体又は固形体が徐々に前記溶液に含浸するに従い反応し発光を呈する。
【発明の効果】
【００２４】
請求項１に記載の釣用化学発光体は、アンプル内の粉状体と容器内の溶液との反応により発光を呈するように構成してなるため、この種の発光体に要求される発光の明るさを維持しつつ、溶液同士による従来の発光体に比して両者の反応が徐々に進行することになる。従って、発光時間を従来のものの２倍以上確保できる。
【００２５】
その結果、釣りに際して消費する発光体の数も少なくてよく、費用の削減にも寄与し得る。
【００２６】
請求項２に記載の釣用化学発光体は、アンプル内の粒状体と容器内の溶液との反応により発光を呈するように構成してなるため、この場合も粒状体と溶液との反応は徐々に進行するので、上記請求項１記載の釣用化学発光体と同様の効果を得ることができる。
【００２７】
請求項３に記載の釣用化学発光体は、アンプル内の固形体と容器内の溶液との反応により発光を呈するように構成してなるため、この場合も固形体と溶液との反応は徐々に進行するこことなって、上記請求項１記載の釣用化学発光体と同様の効果を奏する。
【００２８】
請求項４に記載の釣用化学発光体は、前記粉状体若しくは粒状体又は固形体にシュウ酸エステルが含有され且つ該シュウ酸エステルを５０〜９９．９重量％に設定してなるために、即ちシュウ酸エステルの濃度を比較的高濃度に設定しているので、溶液との反応が確実且つ良好なものとなる結果、安定した発光強度を得られる。
【００２９】
請求項５に記載の釣用化学発光体は、粉状体若しくは粒状体又は固形体にサリチル酸ナトリウムを含有せしめてなるために、即ちアンプル内を予めアルカリ環境下にしているので、前記粉状体等と溶液との反応の立ち上がりが早く、アンプルの破割後直ぐに発光を呈する。
【００３０】
請求項６に記載の釣用化学発光体は、粉状体若しくは粒状体又は固形体にサリチル酸リチウムを含有せしめてなるために、即ち請求項５に記載の発明と同様、アンプル内を予めアルカリ環境下にしているので、前記粉状体等と溶液との反応が無理なくスムースに進行して、アンプルの破割後直ぐに発光を呈する。また、かかるサリチル酸リチウムを使用することにより、低温度の使用条件下においても溶液との反応が良好に行われるという利点があり、その結果寒冷地等においても十分な発光強度を確保できる。
【発明を実施するための最良の形態】
【００３１】
次に、本発明に係る釣用化学発光体の一実施形態について、図面に従って説明する。
【００３２】
図１において、１は筒状の容器を示し、可撓性及び透光性を有する合成樹脂からなる。２は破割性を有するガラス製のアンプルであり、前記容器１に内装されている。
【００３３】
図中、３は容器１内に封入した溶液で、フタル酸ジメチル、第三ブチルアルコール、過酸化水素及びサルチル酸ナトリウムとからなり、その配合割合はフタル酸ジメチルを８５重量％、第三ブチルアルコールを１０重量％、過酸化水素を約４〜５重量％に設定している。４はアンプル２に収納した粉状体で、固形状に圧密して形成されており、前記溶液３と反応して発光するように過シュウ酸エステル、染料及び発光をスムースに進行させるためのサリチル酸ナトリウムとで構成しており、その配合割合は過シュウ酸エステル（ＣＰＰＯ）を９９重量％、染料を約１重量％、サリチル酸ナトリウムを０．０１重量％に設定している。
【００３４】
このように、過シュウ酸エステル（ＣＰＰＯ）を前記容器１ではなくて前記容器１に内装した前記容器２に収納してなるために、外気と前記過シュウ酸エステル（ＣＰＰＯ）の間には前記容器２、前記容器１内の溶液３及び前記容器１という三重の障壁が形成されるので、外気と反応して酸化して劣化するというようなこともないばかりか、外気湿度による劣化を生じることもなく、長期間にわたって良好な状態を維持できる。
【００３５】
本実施形態に係る釣用化学発光体Ｈは以上のような構成からなるが、かかる発光体Ｈは例えば次にようにして発光させる。
【００３６】
先ず、図２に示すように前記容器１を両側を把持しながら略中央で逆Ｖ字状に折り曲げると、前記容器１内のアンプル２にもその力が加わって破割される。
【００３７】
これにより、前記溶液３と前記アンプル２の前記粉状体４とが反応し、前記粉状体４が溶解して発光を呈することになる。即ち、前記粉状体４の一部は前記アンプル２から前記容器１へと移行して発色を呈する一方、前記溶液３が前記アンプル２内に徐々に含浸してゆき、前記粉状体４と反応するために、この種の発光体に要求される明るさを維持しつつ、長時間にわたる発色が可能となるのである。この場合において、前記粉状体４にはサリチル酸ナトリウムが含有されてなるために、即ち予め前記アンプル２内をアルカリ環境に設定しているので、前記粉状体４と前記溶液３との反応の立ち上がりが早く、前記アンプル２の破割後直ちに発光を呈することになる。
【００３８】
また、このように前記粉状体４と前記溶液３との反応により発色を呈させるものであるために、溶液同士を混合させて発光せしめる場合に比して、発光体Ｈの発光時間を２倍以上に保持することができる。
【００３９】
尚、図３は発光体の輝度と時間との関係を示したグラフであるが、従来の発光体にあっては二液の反応直後に輝度が大きく立ち上がって必要以上に明るく発光しており、発光後１時間以内に輝度が大きく低下すると共に、その後の低下率も非常に大きなものとなっている。これに対して、本実施形態における発光体Ｈは前記溶液３と前記粉状体４との反応直後は前記従来の発光体の輝度よりも小さいものの、その後の輝度の低下率も小さくなっており、この種の発光体Ｈに要求される輝度を維持しつつ、十分な発光時間を確保し得ることが分かる。
【００４０】
このような発光状態を呈し得るということについては、前記粉状体４における過シュウ酸エステル（ＣＰＰＯ）の濃度を９９重量％という高濃度に設定している点も一因として挙げられ、これにより安定した発光強度を確保できることになる。
【００４１】
その結果、釣りに際して使用すべき発光体Ｈの数も少なくてすむために、費用を低減することが可能になる。
【００４２】
尚、上記の如くして発光させた前記発光体Ｈは、例えば図４（ａ）及び（ｂ）に示すような取付けホルダー５を使用して道糸に取り付けて使用する。
【００４３】
かかる取付けホルダー５は前記発光体Ｈが発光する光を透過可能な合成樹脂で形成されており、その一端部に設けた挿着部６には長手方向に沿って上面中央に切り目７が開設され、挿着部６の内径は発光体Ｈの外径よりも若干小径に設定されている。
【００４４】
また、取付けホルダー５は挿着部６に連設される装着部８を有しており、長手方向に沿って上面中央に形成した装着孔９は広幅部９ａと、前記取付けホルダー５の他端部側に位置する狭幅部９ｂと、これら両者の中間に配される中間部９ｃとからなり、狭幅部９ｂの幅Ｌは前記挿着部６の切れ目７の幅ｌよりも大きくなるように設定している。尚、装着孔９の内面は面取り加工を施している。
【００４５】
そして、先ず図５（ａ）に取付けホルダー５の切り目７及び装着孔９から道糸１０を内部に挿通した状態で、前記発光体Ｈを若干傾斜させながらその一端部を取付けホルダー５の挿着部６に挿入する。かかる挿着部６には切り目７が形成されてなるため、該切り目７が開くようにして前記発光体Ｈの一端部側を容易に挿入することができる。
【００４６】
次に、この状態で発光体Ｈの他端部側を取付けホルダー５の装着孔９側へと押圧すると、図４（ｂ）のようにその押圧力により装着孔９が開いて発光体Ｈの他端部側が装着部８に嵌合して、発光体Ｈを取付けホルダー本体１内に装着することができ、且つこれにより前記道糸１０に発光体Ｈが取り付けられるのである。
【００４７】
この場合において、発光体Ｈの一端部側を取付けホルダー５の挿着部６に挿着した状態で、即ち発光体Ｈの一端部側を支点としてその他端部側を取付けホルダー１に装着できるため、一連の装着作業が容易、確実且つ正確に行えるという利点がある。
【００４８】
尚、上記実施形態においては、粉状体４を固形化すべく圧密させて固形体の状態でアンプル２内に収納してなるが、粉状体４は粉の状態でアンプル２に収納してもよい他、かかる粉状体４に代えて粒状体を使用することも可能であり、この場合も粉状体４の場合と同様の作用効果を得ることができる。
【００４９】
また、溶液３を構成する各物質の配合割合は該実施形態に限定されるものではなく、フタル酸ジメチルは５０〜９９重量％、第三ブチルアルコールは１〜３０重量％、過酸化水素は１〜１０重量％、サルチル酸ナトリウム０．０１〜１重量％の範囲内であればよい。しかるに、この溶液３はこれらの物質以外で構成することも勿論可能である。
【００５０】
さらに、粉状体４等も上記実施形態に限られず、染料は０．０１〜５重量％、サルチル酸ナトリウムは０．０１〜１重量％の範囲内で構成すればよい他、寒冷地等において使用する場合はかかるサリチル酸ナトリウムに代えてサリチル酸リチウムを用いて構成すれば、アルカリ環境下でサリチル酸ナトリウムの場合と同様、粉状体４と溶液３との反応が無理なくスムースに進行し、アンプル２の破割後直ぐに発光を呈することになるのは勿論、低温度の使用条件下においても溶液との反応が良好なものとなるという利点があり、その結果寒冷地等においても十分な発光強度を確保できる。なお、前記粉状体４等には必ずしもサリチル酸ナトリウムやサリチル酸リチウムを含有させる必要はない。
【００５１】
また、前記粉状体４等は上記実施形態の過シュウ酸エステル（ＣＰＰＯ）に代えて所謂ＣＩＰＯを使用することもできる。しかるに、前記粉状体４等の具体的な構成もこれらに限定されるものではなく、要は前記溶液３と反応した際に発光を呈するものであればよい。
【００５２】
さらに、容器１は可撓性及び透光性を有するものであればよく、その具体的な材質は問うものではない。
【００５３】
また、アンプル２も破割性を有するものであれば構わず、必ずしも上記実施形態の如きガラス材で構成する必要はない。
【００５４】
さらに、上記実施形態においては、化学発光体Ｈを集魚用として使用すべく取付けホルダー５を用いて道糸１０に取り付けたが、本発明に係る釣用化学発光体はかかる用途に決して限定されるものでなく、例えば浮き等に取り付けて浮き等の位置を視認するように使用することも勿論可能である。
【００５５】
その他、容器１やアンプル２の具体的な形状や大きさも本発明の意図する範囲内において任意に設計変更自在である。
【図面の簡単な説明】
【００５６】
【図１】本発明に係る釣用化学発光体の一実施形態を示す正面図である。
【図２】同使用状態を示す正面図である。
【図３】本発明に係る釣用化学発光体と従来の釣用化学発光体における輝度と時間との関係を示すグラフである。
【図４】本発明に係る釣用化学発光体の取付けホルダーを示す斜視図である。
【図５】同使用状態を示す斜視図である。
【図６】特許文献１の釣用化学発光体を示す斜視図である。
【符号の説明】
【００５７】
１      容器
２      アンプル
４      溶液
５      粉状体
【図１】
2006190513.tif 000003
【図２】
2006190513.tif 000004
【図３】
2006190513.tif 000005
【図４】
2006190513.tif 000006
【図５】
2006190513.tif 000007
【図６】
2006190513.tif 000008